(57)【要約】【課題】  既設の支柱を容易に補強することが可能なアンテナ支柱の補強部材等を提供する。【解決手段】  補強部材１１は、一対の挟み込み部材１５と、連結部材２１等から構成される。挟み込み部材１５は、上下の略平行な板状の挟み込み部１８と、これとほぼ垂直な向きに、上下の挟み込み部１８を連結する一対の板状のアーム部１７を具備する。アーム部１７の先端部近傍には、線材固定部１９が設けられる。線材固定部１９には、補強線材１３が挿通され、上下の補強部材１１に対して、例えばナット等で固定される。挟み込み部１８の一方の側には、凹部２３が設けられる。挟み込み部１８の両側には、連結部２７が設けられる。一対の挟み込み部材１５によって支柱３が挟み込まれる。挟み込み部材１５は、互いの凹部２３が対向するように配置される。この状態で、挟み込み部１８が、対向する他の挟み込み部材１８と連結部材２１で連結される。【選択図】図２
2018129696.tif 000002
【特許請求の範囲】
【請求項１】
アンテナの支柱の補強部材であって、
一対の挟み込み部材を具備し、
前記挟み込み部材は、連結部材を用いて、互いに対向するように連結可能であり、
前記挟み込み部材の互いの対向面には、支柱と接触する凹部が設けられ、前記挟み込み部材の一部には、補強線材を固定可能な線材固定部が設けられることを特徴とするアンテナ支柱の補強部材。
【請求項２】
ずれ止め部材をさらに具備し、
前記ずれ止め部材の先端を前記凹部に挿入して、前記ずれ止め部材を前記挟み込み部材に固定可能であることを特徴とする請求項１記載のアンテナ支柱の補強部材。
【請求項３】
前記ずれ止め部材の先端は、先端に行くほど厚みが薄くなる楔形状であることを特徴とする請求項２記載のアンテナ支柱の補強部材。
【請求項４】
それぞれの前記挟み込み部材は、一対のアーム部を有し、前記線材固定部は、前記アーム部の端部近傍に設けられ、
前記線材固定部が、それぞれの前記挟み込み部材の中心線に対して対称な位置に配置されることを特徴とする請求項１から請求項３のいずれかに記載のアンテナ支柱の補強部材。
【請求項５】
請求項１から請求項４のいずれかに記載のアンテナ支柱の補強部材を用いたアンテナ支柱の補強構造であって、
アンテナの支柱の上下のそれぞれの所定の部位において、一対の前記挟み込み部材で前記支柱が挟み込まれて、連結部材によって前記挟み込み部材が連結されて前記支柱に一対の前記補強部材が所定の間隔をあけて取り付けられ、
上下それぞれの前記補強部材の前記線材固定部に補強線材が固定され、上下の前記補強部材同士が連結されることを特徴とするアンテナ支柱の補強構造。
【請求項６】
前記支柱は、支柱連結部で複数の支柱が連結されており、
上下の前記補強部材が、少なくとも一部の前記支柱連結部を挟み込むように配置されることを特徴とする請求項５記載のアンテナ支柱の補強構造。
【請求項７】
前記支柱は、壁部にブラケットで固定されており、
上下の前記補強部材が、最も上部に位置する前記ブラケットを挟み込むように配置されることを特徴とする請求項５または請求項６記載のアンテナ支柱の補強構造。
【請求項８】
アンテナの支柱の補強方法であって、
一対の挟み込み部材を具備する補強部材を用い、
前記挟み込み部材は、連結部材を用いて、互いに対向するように連結可能であり、
前記挟み込み部材の互いの対向面には、支柱と接触する凹部が設けられ、前記挟み込み部材の一部には、補強線材を固定可能な線材固定部が設けられ、
前記支柱の上下のそれぞれの所定の部位において、一対の前記挟み込み部材で前記支柱を挟み込み、連結部材を用いて、前記挟み込み部材を連結して前記支柱に取り付け、
前記補強部材の前記線材固定部に補強線材を固定して、上下の前記補強部材同士を連結することを特徴とするアンテナ支柱の補強方法。
【請求項９】
前記補強部材は、ずれ止め部材をさらに具備し、
一対の前記挟み込み部材で前記支柱を挟み込んだ後、前記ずれ止め部材の先端を前記支柱と前記凹部の隙間に挿入して、前記ずれ止め部材を前記挟み込み部材に固定することを特徴とする請求項８記載のアンテナ支柱の補強方法。
【請求項１０】
前記ずれ止め部材の先端は、先端に行くほど厚みが薄くなる楔形状であることを特徴とする請求項９記載のアンテナ支柱の補強方法。
【発明の詳細な説明】
【技術分野】
【０００１】
本発明は、例えば携帯電話の基地局などにおけるアンテナ支柱の補強部材、アンテナ支柱の補強構造およびその補強方法に関するものである。
【背景技術】
【０００２】
携帯電話の基地局などにおけるアンテナは、例えば建物の上部や壁などに支柱が固定され、支柱の上部にアンテナが固定される（例えば特許文献１）。
【先行技術文献】
【特許文献】
【０００３】
【特許文献１】特開平１１−２２５１０５号公報
【発明の概要】
【発明が解決しようとする課題】
【０００４】
近年、アンテナ基地局の増設が限界に近づいており、既設のアンテナ基地局においてアンテナが増設される場合がある。この場合、アンテナ増設に伴う重量増加に対応する支柱の補強が必要となる。
【０００５】
支柱の補強方法としては、例えば、支柱自体を交換する方法がある。しかし、支柱を交換するためには、時間と費用を要する。例えば、支柱の交換時においては、数週間にわたって当該基地局を使用することができなくなる。
【０００６】
一方、既設支柱に方杖を設置する方法がある。例えば、既設支柱に斜めに方杖を接合し、建物の屋上などに固定する方法である。しかし、この方法では、支柱の固定のために広い面積が必要となる。したがって、屋上における家賃が必要となる場合がある。
【０００７】
本発明は、このような問題に鑑みてなされたもので、既設の支柱を容易に補強することが可能なアンテナ支柱の補強部材等を提供することを目的とする。
【課題を解決するための手段】
【０００８】
前述した目的を達成するため、第１の発明は、アンテナの支柱の補強部材であって、一対の挟み込み部材を具備し、前記挟み込み部材は、連結部材を用いて、互いに対向するように連結可能であり、前記挟み込み部材の互いの対向面には、支柱と接触する凹部が設けられ、前記挟み込み部材の一部には、補強線材を固定可能な線材固定部が設けられることを特徴とするアンテナ支柱の補強部材である。
【０００９】
ずれ止め部材をさらに具備し、前記ずれ止め部材の先端を前記凹部に挿入して、前記ずれ止め部材を前記挟み込み部材に固定可能であることが望ましい。
【００１０】
前記ずれ止め部材の先端は、先端に行くほど厚みが薄くなる楔形状であってもよい。
【００１１】
それぞれの前記挟み込み部材は、一対のアーム部を有し、前記線材固定部は、前記アーム部の端部近傍に設けられ、前記線材固定部が、それぞれの前記挟み込み部材の中心線に対して対称な位置に配置されることが望ましい。
【００１２】
第１の発明によれば、支柱を一対の挟み込み部材で挟み込み、上下の補強部材同士を補強線材で連結するのみであるため、支柱自体を交換することなく、また、方杖等を用いることなく支柱を補強することができる。
【００１３】
また、ずれ止め部材を用いることで、確実に補強部材を支柱に固定することができる。
【００１４】
また、アーム部の先端部に線材固定部を設けることで、補強線材を支柱から離した位置に配置可能である。また、支柱を中心として、補強線材を対称に配置できるため、支柱を効率よく補強することができる。
【００１５】
第２の発明は、第１の発明にかかるアンテナ支柱の補強部材を用いたアンテナ支柱の補強構造であって、アンテナの支柱の上下のそれぞれの所定の部位において、一対の前記挟み込み部材で前記支柱が挟み込まれて、連結部材によって前記挟み込み部材が連結されて前記支柱に一対の前記補強部材が所定の間隔をあけて取り付けられ、上下それぞれの前記補強部材の前記線材固定部に補強線材が固定され、上下の前記補強部材同士が連結されることを特徴とするアンテナ支柱の補強構造である。
【００１６】
前記支柱は、支柱連結部で複数の支柱が連結されており、上下の前記補強部材が、少なくとも一部の前記支柱連結部を挟み込むように配置されることが望ましい。
【００１７】
前記支柱は、壁部にブラケットで固定されており、上下の前記補強部材が、最も上部に位置する前記ブラケットを挟み込むように配置されることが望ましい。
【００１８】
第２の発明によれば、方杖などの場所をとることなく、容易に支柱を補強することができる。
【００１９】
また、複数の支柱が支柱連結部で連結される場合には、連結部の上下が支柱の弱部となりやすい。このため、支柱連結部を上下に挟み込むように補強部材を配置することで、効率よく支柱を補強することができる。
【００２０】
また、支柱を壁部に固定するブラケットを上下に挟み込むように補強部材を配置することで、効率よく支柱を補強することができる。
【００２１】
第３の発明は、アンテナの支柱の補強方法であって、一対の挟み込み部材を具備する補強部材を用い、前記挟み込み部材は、連結部材を用いて、互いに対向するように連結可能であり、前記挟み込み部材の互いの対向面には、支柱と接触する凹部が設けられ、前記挟み込み部材の一部には、補強線材を固定可能な線材固定部が設けられ、前記支柱の上下のそれぞれの所定の部位において、一対の前記挟み込み部材で前記支柱を挟み込み、連結部材を用いて、前記挟み込み部材を連結して前記支柱に取り付け、前記補強部材の前記線材固定部に補強線材を固定して、上下の前記補強部材同士を連結することを特徴とするアンテナ支柱の補強方法である。
【００２２】
前記補強部材は、ずれ止め部材をさらに具備し、一対の前記挟み込み部材で前記支柱を挟み込んだ後、前記ずれ止め部材の先端を前記支柱と前記凹部の隙間に挿入して、前記ずれ止め部材を前記挟み込み部材に固定することが望ましい。
【００２３】
前記ずれ止め部材の先端は、先端に行くほど厚みが薄くなる楔形状であってもよい。
【００２４】
第３の発明は、支柱を交換することなく、容易に支柱を補強することができる。
【００２５】
特に、ずれ止め部材を配置することで、確実に支柱に補強部材を固定することができる。
【００２６】
本発明によれば、既設の支柱を容易に補強することが可能なアンテナ支柱の補強部材等を提供することができる。
【図面の簡単な説明】
【００２７】
【図１】アンテナ支柱補強構造１を示す斜視図。
【図２】補強部材１１の拡大図。
【図３】挟み込み部材１５を示す斜視図。
【図４】支柱３に挟み込み部材１５を取り付けた状態を示す平面図。
【図５】ずれ止め部材２５を挟み込み部材１５に固定した状態を示す平面図。
【図６】（ａ）は、ずれ止め部材２５を挟み込み部材１５に固定した状態を示す断面図であり、図５のＢ−Ｂ線における断面図、（ｂ）は、ずれ止め部材２５の部分拡大図。
【図７】太い支柱３に挟み込み部材１５を取り付けた状態を示す平面図。
【発明を実施するための形態】
【００２８】
以下、本発明の実施の形態にかかるアンテナ支柱補強構造について説明する。図１は、アンテナ支柱補強構造１を示す斜視図である。アンテナ支柱補強構造１は、主に、支柱３、アンテナ５、補強部材１１、補強線材１３等から構成される。
【００２９】
支柱３は、既設のアンテナ支柱であり、ブラケット９によって壁部１０に固定される。図示した例では、支柱３は、壁部１０に２か所で固定される。なお、アンテナ支柱補強構造１は、建物の壁部１０に固定される例を示すが、これに限られず、建物の屋上に起立する場合も含む。
【００３０】
支柱３の上部には、アンテナ５が設けられる。なお、アンテナ５の形状や本数は図示した例には限られない。
【００３１】
支柱３の所定の部位には、一対の補強部材１１が固定される。補強部材１１は、支柱３の上下に離間して配置される。例えば、支柱３は、複数の支柱が支柱連結部７で連結されており、補強部材１１は、すべての支柱連結部７を挟み込むように配置される。すなわち、上方の補強部材１１は、最上部の支柱連結部７の上部に配置され、下方の補強部材１１は、最下部の支柱連結部７の下部に配置される。なお、補強部材１１は、すべての支柱連結部７を挟み込むのではなく、少なくとも一部の支柱連結部７を挟み込むように配置されてもよい。
【００３２】
また、支柱３が壁部１０にブラケット９で固定される場合には、最上部のブラケット９を上下に挟み込むように補強部材１１が配置される。すなわち、上方の補強部材１１は、最上部のブラケット９よりも上方に配置され、下方の補強部材１１は、最上部のブラケット９の下部に配置される。
【００３３】
上下の補強部材１１同士は、複数の補強線材１３で連結される。補強線材１３は、例えば、鋼棒や鋼ワイヤなどの部材である。補強線材１３には、所定の張力が付与された状態で補強部材１１に固定される。
【００３４】
図２は、図１のＡ部拡大図であり、補強部材１１の拡大図である。なお、下方の補強部材１１は、上方の補強部材１１と上下対称に構成されるため、説明を省略する。
【００３５】
補強部材１１は、一対の挟み込み部材１５と、連結部材２１等から構成される。図３は、挟み込み部材１５の斜視図である。挟み込み部材１５は、上下の略平行な板状の挟み込み部１８と、これとほぼ垂直な向きに、上下の挟み込み部１８を連結する一対の板状のアーム部１７を具備する。なお、アーム部１７は一つであってもよく、２つ以上の複数であってもよい。また、軽量化のため、アーム部１７には孔が設けられる。なお、挟み込み部１８に直接線材固定部１９を配置すれば、アーム部１７は必ずしも必要ではない。
【００３６】
アーム部１７の先端部近傍には、線材固定部１９が設けられる。線材固定部１９は、略筒状の部材であり、上下の挟み込み部１８の連結方向にほぼ平行な向きに配置される。線材固定部１９には、補強線材１３が挿通され、上下の補強部材１１に対して、例えばナット等で固定される。
【００３７】
挟み込み部１８の一方の側には、凹部２３が設けられる。凹部２３は、挟み込み部１８に切り欠き状に設けられる。凹部２３は、中央部に、幅方向（左右方向）に対して略平行な部位と、その両側に左右に向けて幅が広がるように形成されるテーパ状の部位からなる。
【００３８】
挟み込み部１８の両側には、連結部２７が設けられる。連結部２７は略筒状の部材であり、連結部材２１（図２参照）が挿通される。また、挟み込み部１８の凹部２３の中央部の近傍には、雌ネジ部２９が設けられる。すなわち、前述した、凹部２３の中央部近傍における、幅方向に略平行な部位の後方に雌ネジ部２９が設けられる。
【００３９】
図２に示すように、一対の挟み込み部材１５によって支柱３が挟み込まれる。挟み込み部材１５は、互いの凹部２３が対向するように配置される。この状態で、挟み込み部１８が、対向する他の挟み込み部材１５の挟み込み部１８と連結部材２１で連結される。連結部材２１は、例えばボルトであり、連結部２７に挿通されてナットで固定される。
【００４０】
また、支柱３と凹部２３との間には、ずれ止め部材２５の先端が挿入される。ずれ止め部材２５は、挟み込み部１８に設けられた雌ネジ部２９（図３参照）に固定される。なお、ずれ止め部材２５については詳細を後述する。
【００４１】
次に、補強部材１１を用いたアンテナの支柱３の補強方法について説明する。まず、支柱３の所定の部位に、補強部材１１を取り付ける。図４は、補強部材１１を支柱３に取り付けた状態を示す平面図である。前述したように、一対の挟み込み部材１５で支柱３が挟み込まれて、連結部材２１によって、一対の挟み込み部材１５が連結される。この際、前述した凹部２３のテーパ部が支柱３と接触する。
【００４２】
なお、本実施形態では、それぞれの挟み込み部材１５の中心線に対して、対称な位置に所定の角度でアーム部１７が一対設けられる。すなわち、挟み込み部材１５の中心線に対して対称な位置に線材固定部１９が配置される。このため、一対の挟み込み部材１５を対向させて支柱３に取り付けると、支柱３に対して、線材固定部１９が対称な位置に複数個所（図では４か所）に配置される。
【００４３】
なお、線材固定部１９は、少なくとも３か所に配置されればよいが、同一形状の挟み込み部材１５を一対使用すると、線材固定部１９は、偶数箇所（図示した例では４か所）に配置される。
【００４４】
ここで、凹部２３の中央部（テーパ部の間の幅方向平行部）と支柱３の間には、隙間３１が形成される。隙間３１は、下底が支柱３の外面形状に対応する湾曲形状の略台形となる。
【００４５】
次に、図５に示すように、補強部材１１を支柱３にさらに確実に固定するために、ずれ止め部材２５を固定する。図６（ａ）は、図５のＢ−Ｂ線断面図であり、図６（ｂ）は図６（ａ）のＣ部拡大図である。ずれ止め部材２５の先端には、挟み込み部材１５との固定面に対して突出する挿入部３３が設けられる。挿入部３３は、先端に行くほど厚みが薄くなる楔形状であることが望ましい。
【００４６】
挿入部３３の形状は、隙間３１の形状に対応する。すなわち、支柱３との接触部は、支柱３の外面の湾曲形状に対応する湾曲形状であり、他の部位が、凹部２３の幅方向平行部及びテーパ部の形状に対応する形状である。
【００４７】
ずれ止め部材２５の挿入部３３を隙間３１に挿入した状態で、ずれ止め部材２５を挟み込み部１８の雌ネジ部２９にボルト３２で締めこむことで、挿入部３３が確実に隙間３１に挿入される。この際、挿入部３３が、隙間３１に深く挿入されるにつれて、隙間に挿入される挿入部３３の厚みが厚くなる。このため、挿入部３３を隙間３１に深く押し込むことで、挿入部３３が隙間３１を押し開き、支柱３が、挟み込み部材１５（ずれ止め部材２５）に強く押し付けられる。なお、挟み込み部材１５に雌ネジ部２９を設けるのではなく、ボルト３２とナットとで固定してもよい。
【００４８】
このように、ずれ止め部材２５を用いることで、挟み込み部材１５が確実に支柱３に固定され、補強部材１１のずれが防止される。なお、ずれ止め部材２５を用いなくても補強部材１１を支柱３に固定することが可能であれば、ずれ止め部材２５は必ずしも必要ではない。
【００４９】
補強部材１１を支柱３の上下に固定した後、上下の補強部材１１のそれぞれの線材固定部１９に、補強線材１３を固定する。この際、補強線材１３には、多少の張力が付与される。以上により、アンテナ支柱補強構造１を施工することができる。
【００５０】
以上、本実施の形態によれば、簡易な方法で、アンテナの支柱３を補強することができる。また、ずれ止め部材２５を用いることで、確実に補強部材１１を支柱３に固定することができる。
【００５１】
また、アーム部１７の先端に線材固定部１９を配置するため、線材固定部１９を支柱３から離れた位置に配置することができる。このため、効率よく支柱３を補強することができる。また、挟み込み部材１５としては、同一の形状のものを一対用いることができる。したがって、支柱３を中心として、線材固定部１９を対称な位置に配置することができる。このため、効率よく、支柱３を補強することができる。
【００５２】
なお、本発明にかかる補強部材１１は、異なる支柱サイズに適用することができる。図７は、より太径の支柱３ａに補強部材１１を固定した状態を示す平面図である。この場合でも、支柱３ａを凹部２３に接触させて、一対の挟み込み部材１５で支柱３ａを挟み込んで固定することができる。
【００５３】
この場合には、支柱３ａと凹部２３との隙間３１の形状が、支柱３の場合と異なる。このため、この隙間３１の形状に応じたずれ止め部材２５ａが用いられる。すなわち、支柱のサイズに応じて、ずれ止め部材のみを変更することで、同一の挟み込み部材１５を異なる支柱サイズに適用することができる。
【００５４】
なお、太い支柱３ａを挟み込み部材１５で挟み込む場合には、対向する連結部２７の間にスペーサ３７が取り付けられる。スペーサ３７は筒状の部材であり、内部に連結部材２１が挿通される。スペーサ３７の外径は連結部２７の内径よりも大きいため、スペーサ３７によって、連結部２７の間隔が維持される。このため、連結部材２１を締めこむ際に、挟み込み部材１５の回転が抑制され、確実に、挟み込み部材１５同士をまっすぐに対向させることができる。
【００５５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５６】
１………アンテナ支柱補強構造
３、３ａ………支柱
５………アンテナ
７………支柱連結部
９………ブラケット
１０………壁部
１１………補強部材
１３………補強線材
１５………挟み込み部材
１７………アーム部
１８………挟み込み部
１９………線材固定部
２１………連結部材
２３………凹部
２５、２５ａ………ずれ止め部材
２７………連結部
２９………雌ネジ部
３１………ボルト
３３………挿入部
３７………スペーサ
【図１】
2018129696.tif 000003
【図２】
2018129696.tif 000004
【図３】
2018129696.tif 000005
【図４】
2018129696.tif 000006
【図５】
2018129696.tif 000007
【図６】
2018129696.tif 000008
【図７】
2018129696.tif 000009